(57)【特許請求の範囲】
【請求項１】
医療用針シールド装置であって、
末端まで延びている外側針カニューレと、当該外側針カニューレに対して摺動可能に動くように配置された内側針とを有する針と、
前記内側針の末端を包囲するために後退位置から伸長位置まで伸長可能である少なくとも１つのシールドであって、内部に結合部材が設けられ、前記後退位置と伸長位置との間を前記内側針を摺動可能に受け入れる構造とされた開口を形成する結合面を形成しているシールドとを含み、
前記結合部材は、少なくとも１つの抵抗誘起部材を含んで、当該少なくとも１つの抵抗誘起部材は、前記内側針に対する抵抗力を形成するために、前記内側針を摺動可能に受け入れる際に前記内側針と係合するようになされており、前記抵抗力は、前記内側針の長手軸線に対する前記結合部材の回転を容易化して、前記結合面が前記シールドの伸長位置において前記内側針の摺動可能な動きを阻止するために前記内側針と係合するようになされており、
前記結合部材は更に、針連通面であって、前記内側針と係合するようになされており且つ前記内側針と係合して前記結合部材の回転を阻止することができるように延びている前記針連通面と、前記針ハブに対して解除可能に係合するために前記針連通面から横切る方向に延びている保持器とを含んでいることを特徴とする医療用針シールド装置。
【請求項２】
請求項に記載の医療用針シールド装置であって、
前記少なくとも１つの抵抗誘起部材が、前記開口部に対してほぼ整合しているキャビティを形成しており、当該キャビティは、前記針に対する抵抗力を形成するために前記針を摺動可能に受け入れる構造とされている、医療用針シールド装置。
【請求項３】
請求項１に記載の医療用針シールド装置であって、
前記結合部材が、前記開口を形成している結合面を含んでいる実質的に平らな開口部プレートを含んでいる、医療用針シールド装置。
【請求項４】
請求項３に記載の医療用針シールド装置であって、
前記少なくとも１つの抵抗誘起部材が、前記開口部プレートから延び且つカールした端部を有している一対のアームを含んでいる、医療用針シールド装置。
【請求項５】
請求項４に記載の医療用針シールド装置であって、
前記アームが撓み可能な部材を含んでいる医療用針シールド装置。
【請求項６】
請求項１に記載の医療用針シールド装置であって、
前記結合部材が、前記内側針が前記結合部材に対して摺動可能である非結合状態と、前記結合部材が前記内側針と係合して前記少なくとも１つのシールドの前記伸長状態において前記内側針の摺動可能な動きを阻止する結合状態との間を、前記内側針の長手軸線に対して回転可能である、医療用針シールド装置。
【請求項７】
請求項１に記載の医療用針シールド装置であって、
前記シールドが、その内側表面から延びている少なくとも１つの遮断部材を形成しているハウジングを含み、前記少なくとも１つの遮断部材が、前記結合部材を係合状態へと付勢するために前記結合部材と係合可能である医療用針シールド装置。
【請求項８】
請求項３に記載の医療用針シールド装置であって、
前記シールドが、その内側表面から延びている少なくとも１つの遮断部材を形成しているハウジングを含んでおり、前記開口部プレートが、前記結合部材を係合位置へ回転させる少なくとも１つの遮断部材と係合可能であるように軸線方向に動くことができるようになされた医療用針シールド装置。
【請求項９】
請求項１に記載の医療用針シールド装置であって、
少なくとも１つのシールドを包囲している外側把持部材を更に含んでおり、前記外側把持部材は、当該外側把持部材に対する相対的な回転動作のために前記少なくとも１つのシールドを支持している医療用針シールド装置。
【請求項１０】
請求項９に記載の医療用針シールド装置であって、
前記少なくとも１つのシールドが、前記少なくとも１つの軸受けによって前記外側把持部材による相対的な回転動作のために支持されている医療用針シールド装置。
【請求項１１】
請求項１に記載の医療用針シールド装置であって、
前記内側針が、その操作のために柄に取り付けられている医療用針シールド装置。
【請求項１２】
請求項１に記載の医療用針シールド装置であって、
前記針ハブが前記少なくとも１つのシールドのハウジングに解除可能に取り付けることができる医療用針シールド装置。
【請求項１３】
請求項１に記載の医療用針シールド装置であって、
前記針ハブが、前記結合部材の前記保持器を受け入れる構造とされている医療用針シールド装置。
【請求項１４】
請求項１に記載の医療用針シールド装置であって、
前記結合部材が、前記針連通面まで延びている少なくとも１つの外側へ弓状に撓んだアームを含んでいる医療用針シールド装置。
【請求項１５】
請求項１に記載の医療用針シールド装置であって、
複数のシールドを更に含んでいる医療用針シールド装置。
【請求項１６】
医療用針シールド装置であって、
末端まで延びている外側針カニューレと、当該外側針カニューレに対して摺動可能に動くように配置された内側針とを有する針と、
前記外側針カニューレの末端を包囲するために後退位置から伸長位置まで伸長可能であるシールドであって、その末端に、前記外側針カニューレに対して摺動可能に動く構造とされたプローブを受け入れる構造とされたプローブガイドを形成しており、内部に結合部材が設けられ、前記後退位置と伸長位置との間を前記外側針カニューレを摺動可能に受け入れる構造とされた開口が形成された結合面を形成しているシールドとを含み、
前記結合部材は、少なくとも１つの抵抗誘起部材を含み、当該少なくとも１つの抵抗誘起部材は、前記外側針カニューレに対する抵抗力を形成するために、前記外側針カニューレを摺動可能に受け入れる際に前記外側針カニューレと係合するようになされており、前記抵抗力は、前記外側針カニューレの長手軸線に対する前記結合部材の回転を容易化して、前記結合面が前記シールドの伸長位置において前記外側針カニューレの摺動可能な動きを阻止するために前記外側針カニューレと係合するようになされており、
前記結合部材は更に、針連通面であって、前記外側針カニューレと係合するようになされており且つ前記外側針カニューレと係合して前記結合部材の回転を阻止することができるように延びている前記針連通面を含んでいることを特徴とする医療用針シールド装置。
【請求項１７】
請求項１６に記載の医療用針シールド装置であって、
前記結合部材が、前記外側針カニューレが前記結合部材に対して摺動可能である非結合状態と、前記結合面が前記外側針カニューレと係合して前記シールドの前記伸長状態において前記外側針カニューレの摺動可能な動きを阻止する結合状態との間を、前記外側針カニューレの長手軸線に対して回転可能である、医療用針シールド装置。
【請求項１８】
請求項１６に記載の医療用針シールド装置であって、
前記シールドが、その内側表面から延びている少なくとも１つの遮断部材を形成しているハウジングを含み、前記遮断部材が、前記結合部材を係合状態へと回転させる少なくとも１つの遮断部材と係合するように軸線方向に移動可能である開口部プレートを含んでいる医療用針シールド装置。
【請求項１９】
医療用針シールド装置であって、
末端まで延びている外側針カニューレと、当該外側針カニューレに対して摺動可能に動くように配置された内側針とを有する針と、
前記内側針に取り付けられ且つ前記内側針と連通しているフラッシュチャンバであって医療装置に対する接続を容易にする嵌合部を有しているフラッシュチャンバを形成している柄と、
前記針ハブに解除可能に取り付けることができ且つ前記内側針の末端を包囲するために後退位置から伸長位置まで伸長可能であり、前記柄が隣接して配置されているシールドであって、内部に結合部材が設けられ、前記後退位置と伸長位置との間で前記内側針を摺動可能に受け入れる構造とされた開口を形成する結合面を形成しているシールドとを含み、
前記結合部材は、少なくとも１つの抵抗誘起部材を含み、当該少なくとも１つの抵抗誘起部材は、前記内側針に対する抵抗力を形成するために、前記内側針を摺動可能に受け入れる際に前記内側針と係合するようになされており、前記抵抗力は、前記内側針の長手軸線に対する前記結合部材の回転を容易化して、前記結合面が前記シールドの伸長位置において前記内側針の摺動可能な動きを阻止するために前記内側針と係合するようになされており、
前記結合部材は更に、針連通面であって、前記内側針と係合するようになされており且つ前記内側針と係合して前記結合部材の回転を阻止することができるように延びている前記針連通面を含んでおり、保持器が、前記針ハブのハブ穴と解除可能に係合できるように前記針連通面から横切る方向に延びていることを特徴とする医療用針シールド装置。
【請求項２０】
請求項１９に記載の医療用針シールド装置であって、
前記結合部材が、前記内側針が前記結合部材に対して摺動可能である非結合状態と、前記結合面が前記内側針と係合して前記シールドの前記伸長状態において前記内側針の摺動可能な動きを阻止する結合状態との間を、前記内側針の長手軸線に対して回転可能である、医療用針シールド装置。
【請求項２１】
請求項１９に記載の医療用針シールド装置であって、
前記シールドが、その内側表面から延びている少なくとも１つの遮断部材を形成しているハウジングを含み、前記遮断部材が、前記結合部材を係合状態へと回転させる少なくとも１つの遮断部材と係合するように軸線方向に移動可能である開口部プレートを含んでいる医療用針シールド装置。
【請求項２２】
請求項１９に記載の医療用針シールド装置であって、
ルアー式スリップ又はルアー式係止機構を更に含んでいる医療用針シールド装置。
【請求項２３】
医療用針シールド装置であって、
末端まで延びている外側針カニューレと、当該外側針カニューレに対して摺動可能に動くように配置された内側針とを有する針と、
前記外側針カニューレの末端を包囲するために後退位置から伸長位置まで伸長可能であるシールドであって、その末端に、前記外側針カニューレに対して摺動可能に動く構造とされたプローブを受け入れる構造とされたプローブガイドを形成しており、内部に結合部材が設けられ、前記後退位置と伸長位置との間を前記外側針カニューレを摺動可能に受け入れる構造とされた開口が形成された結合面を形成しているシールドと、
前記針ハブによって形成されたシールド保持部材に対して解除可能に係合する構造とされた前記シールドによって形成されたハブ保持部材とを含み、
前記結合部材は、少なくとも１つの抵抗誘起部材を含み、当該少なくとも１つの抵抗誘起部材は、前記外側針カニューレに対する抵抗力を形成するために、前記外側針カニューレを摺動可能に受け入れる際に前記外側針カニューレと係合するようになされており、前記抵抗力及びシールドは、前記外側針カニューレの長手軸線に対する前記結合部材の回転を容易化して、前記結合面が前記シールドの伸長位置において前記外側針カニューレの摺動可能な動きを阻止するために前記外側針カニューレと係合するようになされており、
前記結合部材は更に、前記外側針カニューレと係合するようになされており且つ前記外側針カニューレと係合して前記結合部材の回転を阻止することができるように延びている針連通面を含んでいることを特徴とする医療用針シールド装置。
【請求項２４】
請求項２３に記載の医療用針シールド装置であって、
前記結合部材が、前記外側針カニューレが前記結合部材に対して摺動可能である非結合状態と、前記結合面が前記外側針カニューレと係合して前記シールドの前記伸長状態において前記外側針カニューレの摺動可能な動きを阻止する結合状態との間を、前記外側針カニューレの長手軸線に対して回転可能である、医療用針シールド装置。
【発明の詳細な説明】
【発明の分野】
【０００１】
本発明は、概して、医療用針のための安全シールドに関し、より特別には、医療用針の針先端を保護する安全シールドに関する。
【背景技術】
【０００２】
偶発的な針穿刺に伴う問題は、血液サンプルの採取、経皮薬剤の注入及びその他医療用針の使用を含む医療処置の技術において良く知られている。現代のエイズに対する曝露、肝炎及びその他の深刻な血液から生じる病原体に対する曝露に対して過敏性のために、針による穿刺の問題に多大な注目が寄せられて来た。
【０００３】
患者からの針の抜き取り処置は、一般的に、専門家が針が抜き取られる傷部位を押すために片手を使用する一方で、もう一方の手によって針装置を抜き取ることを必要とする。この処置を行う専門家が針の廃棄に対して払うよりも高い優先度で患者に対して注意を払うこともまた一般的なやり方である。安全シールドを備えていない典型的な針装置の場合には、このような優先性は、手の届く範囲内に使用できる鋭利物容器が存在する便利さか患者の傍に置いておく安全な廃棄のための別の手段を必要とする。安全な処置方法に従いながら適切な注意を払うことは、火傷している人及び精神病棟のような患者の肉体的な状態及び精神的な状態によって複雑化されることが多い。このような状態においては、患者に注意を払いながら使用済みの針を適切に廃棄することは難しい。
【０００４】
針に対する注意及び廃棄の問題に伴う広範囲の知識及び歴史は、偶発的な針による穿刺を防止するための多くの装置によってもたらされて来た。現在の安全装置の問題点としては、これらの装置の複雑さ及び部品の数を要因とする使用の難しさ及び高いコストがある。
【０００５】
ある種の医療処置においては、医師が針ハブの内側での流体のフラッシュバックを検知することが望ましい。これまでは、公知の医療用針シールド装置は、流体のフラッシュバックの適切な視認に適合していない。
【０００６】
他の公知の装置は、ばね、入れ子式、枢動等によって作動せしめられるかシースを採用している。しかしながら、これらの装置は、作動が不発となるか又は作動させるのが煩雑であるので不利であるかも知れない、更に、現在の装置の欠点としては、部品の複雑さ及び部品数を要因とする高い製造コストがある。従って、これらのタイプの従来技術による装置は、危険な露出を防止するために医療用針装置を適切に且つ信頼性高くシールドすることができない。
【０００７】
ある種の医療処置中には、安全シールドを針ハブに対して保持することが望ましい。取り扱い及び使用準備中に針安全シールドが外れるのを防止することもまた望ましい。例えば、ある種のタイプの医療用針装置からのシースの取り外し中に、針安全シールドが針ハブからはずれるのを防止することが重要である。
【０００８】
結局、従来技術の不利な点及び欠点を解消することによって針安全装置のための更に満足すべき解決方法を提供する必要性が存在したままである。従って、針の先端に対する危険な曝露を防止するために医療用針に沿って摺動可能に動くことができる安全シールドを採用している更に適切で且つ信頼性の高い医療用針シールド装置を提供することが望ましい。このような針シールド装置は、針カニューレの針先端をシールドするために容易に且つ信頼性高く動くことができるべきである。更に、流体のフラッシュバックの適切な視認を可能にする針シールド装置を提供することも望ましい。
【発明の開示】
【０００９】
従って、本発明は、使用後に医療用針の先端を効率良く且つ低廉に保護する医療用針シールド装置の必要性に答える。本発明は、当該技術において経験される関連する不利な点及び欠点を解決する。より特別には、本発明の装置及び方法は、安全針装置の技術における重要な進歩をもたらす。
【００１０】
一つの実施形態においては、医療用針シールド装置が本発明の原理に従って提供されている。この医療用針シールド装置は、末端まで延びている外側針カニューレを有している針ハブを含んでいる。外側針カニューレに対して摺動可能に動くために内側針が設けられている。内側針の末端を包囲するために、少なくとも１つのシールドが後退位置から伸長位置まで伸長可能である。このシールドは、シールド内に設けられている接合部材を含み且つ後退位置と伸長位置との間で内側針を摺動可能に受け入れる構造とされた開口部を形成している結合面を規定している。
【００１１】
結合部材は、該部材が内側針を摺動可能に受け入れる際に内側針に対して抵抗力を生じるように少なくとも１つの抵抗誘起部材を含んでいる。この抵抗力は、内側針の長手軸線に対する結合部材の回転を容易にして、結合面が内側針と係合してシールドの伸長位置における内側針の摺動可能な動きを防止する。係合部材は更に、針と連通している面が内側針と係合可能で結合部材の回転を防止するように該結合部材から伸長している針連通面を含んでいる。保持装置が、針ハブとの解除可能な係合のために針連通面から横方向に伸長している。
【００１２】
結合部材は、内側針が結合部材に対して摺動可能である非結合位置と結合面が内側針と係合して少なくとも１つのシールドの伸長位置における内側針の摺動可能な動きを防止する結合位置との間を、内側針の長手軸線に対して回転可能であっても良い。結合部材は、針連通面まで伸びている１以上の外方へ作動するアームを含んでいても良い。
【００１３】
内側針は、その操作のために柄に取り付けることができる。針ハブは、保持装置を受け入れる構造とされたハブ穴を形成していても良い。針ハブは、少なくとも１つのシールドのハウジングによって解除可能に取り付けることができても良い。医療用針シールドは、複数のシールドを更に含んでいても良い。
【００１４】
少なくとも１つの抵抗誘起部材は、開口部とほぼ整合しているキャビティを形成することができる。このキャビティは、針に対して抵抗力を形成するために針を摺動可能に受け入れる構造とされている。結合部材は、開口部を形成している結合面を含んでいるほぼ平らな開口部プレートを含んでいても良い。少なくとも１つの抵抗誘起部材は、開口部プレートから延びている一対のアームを含んでいても良い。アームは、開口部プレートから隔置されているカールした端部を有することができる。アームは、偏倚可能な部材を含むことができる。
【００１５】
シールドは、その内側面から延びている少なくとも１つの遮断部材を形成しているハウジングを含むことができる。少なくとも１つの遮断部材は、結合部材を結合位置へと付勢するために結合部材と係合可能とすることができる。開口部プレートは、少なくとも１つの遮断部材と係合できるように軸線方向に移動可能であって、結合位置への結合部材の回転を生じさせる。
【００１６】
この医療用針シールド装置は更に、少なくとも１つのシールドを包囲する外側ハウジングを更に含んでいても良い。この外側ハウジングは、少なくとも１つのシールドを当該シールドに対して相対的に回転するように支持している。少なくとも１つのシールドは、少なくとも１つの軸受けによって外側ハウジングによって相対的な回転動作できるように支持され得る。
【００１７】
代替的な実施形態においては、医療用針シールド装置は、外側針カニューレの末端を包囲するために、後退位置から伸長位置まで伸長可能であるシールドを含んでいる。このシールドは、プローブを受け入れる構造とされているプローブガイドを末端に形成している。プローブは、外側針カニューレに対して摺動可能に動く構造とされている。
【００１８】
もう一つ別の実施形態においては、医療用針シールド装置は、針ハブを含んでおり、該針ハブは、針ハブから末端まで延びている外側針カニューレを備えている。内側針は、外側針カニューレに対して摺動可能に動くように配置されている。柄が内側針に取り付けられており、該柄は、内側針と連通しているフラッシュチャンバを形成している。フラッシュチャンバは、医療装置への結合を容易にする嵌合部を有している。シールドは、針ハブに解除可能に取り付けることができ且つ内側針の末端を包囲するために後退位置から伸長位置まで伸長可能である。柄はシールドに隣接して配置されている。
【００１９】
代替的な実施形態においては、医療用針シールド装置は、針ハブと該針ハブに対して設けられた針とを含んでいる。少なくとも１つのシールドは、針の末端を包囲するために後退位置から伸長位置まで伸長可能である。結合部材がシールド内に設けられ、針を後退位置から伸長位置まで摺動可能に受け入れる構造とされた開口部を形成している結合面を形成している。少なくとも１つの保持部材が、シールドとハブとの間に係合可能である。保持部材は、ハブによって形成されたシールド保持部材と解除可能に係合する構造とされたシールドによって形成されたハブ保持部材を含むことができる。例えば、この保持部材は、針ハブから径方向に延びており且つシールド内の穴と解除可能に係合するようになされたボスとして形成することができる。別の方法として、保持部材は、バヨネット嵌合、傾斜嵌合、戻り止め嵌合、スナップ嵌合、変形可能な幾何学的構造、摩擦嵌合、マグネット結合又は吸引装置として形成することができる。
【００２０】
この実施形態の医療用針シールド装置においては、シールドは、そこから延びているシース保持部材をも含んでいる。シース保持部材は、該シース保持部材からのシースの取り外しによってシールドとハブとの間に係合された保持部材から外れない。シース保持部材は、例えば、シースとの圧入嵌合、スナップ嵌合又はねじ嵌合できる構造とすることができる。
【００２１】
ここに記載されている医療用針シールドは、シェルディガー針、単一壁導入針、クルナン針、バイオプシー針、導入針、骨バイオプシー針、ヒューバー針、脊麻針、硬麻針、細密吸引針、又は同軸針等に対して使用できるようにすることができる。
【００２２】
特別な実施形態においては、本発明による医療用針シールド装置は、そこから外側カニューレが延びている針ハブと、外側針カニューレに対して摺動可能に動くように配置された内側針とを含んでいる。シールドは、外側針カニューレの末端を包囲するために後退位置から伸長位置まで伸長可能である。シールドは、プローブを受け入れる構造とされた末端にプローブガイドを形成しており、プローブは、外側針カニューレに対して摺動可能に動く構造とされている。
【００２３】
ハブ保持部材が、シールドによって形成されており且つ針ハブによって形成されたシールド保持部材に対して解除可能に係合する構造とされている。シールドは、該シールド内に設けられた結合部材を含んでいる。この係合部材は、後退位置と伸長位置との間で外側針カニューレを摺動可能に受け入れる構造とされた開口部を形成している結合面を形成している。
【００２４】
結合部材は、外側針カニューレに対して抵抗力を生じさせるために外側針カニューレを摺動可能に受け入れる際に外側針カニューレと係合する少なくとも１つの抵抗誘起部材を含んでいる。抵抗力は、外側針カニューレの長手軸線に対する結合部材の回転を容易にして、結合面が外側針カニューレと係合してシールドの伸長位置における外側針カニューレの摺動可能な動きを防止する。結合部材は、針連通面が外側針カニューレと係合して結合部材の回転を防止することができるように該結合部材から延びている針連通面を更に含んでいる。
【００２５】
更に別の実施形態においては、本発明は、針ハブと該ハブに対して設けられている針とを含んでいる医療用針シールド装置を提供している。針ハブは、針を出て行く流体のフラッシュバックを視認できる構造とされている拡大部分を含んでいる。少なくとも１つのシールドが、針の末端を包囲するために後退位置から伸長位置まで伸長することができる。シールド内に結合部材が設けられており、該結合部材は、後退位置と伸長位置との間で内側針を摺動可能に受け入れることができる構造とされた開口部を形成している結合面を形成している。
【００２６】
この実施形態においては、拡大器は、拡大された視野のための比較的小さい焦点領域からの光を屈折させる視認領域を形成している湾曲した部分を含んでいる。この実施形態による医療用針シールド装置は、例えば、単一壁の導入針ハブ、バイオプシー針ハブ、脊麻針ハブ又は硬麻針ハブのような技術において知られている特別なハブに対して使用する構造とすることができる。
【００２７】
この実施形態による医療用針シールドはまた、シールドとハブとの間に係合可能な少なくとも１つの保持部材をも含むことができる。例えば、ハブ保持部材は、シールドによって形成することができ且つハブによって形成されたシールド保持部材と解除可能に係合する構造とすることができる。
【００２８】
本発明による医療用針シールド装置の特別な実施形態は針ハブを含んでおり、該針ハブは、該ハブから末端まで延びている外側針カニューレと、外側針カニューレに対して摺動可能に動くように設けられている内側針とを備えている。該内側針に柄を取り付けることができ、該柄は、内側針と連通しているフラッシュバック部を形成している。このフラッシュバック部は、医療用装置に対する結合を容易にする嵌合部を有している。
【００２９】
特別な実施形態においては、針ハブ内に拡大器が設けられており、該拡大器は、針ハブ内の流体のフラッシュバックの見えを拡大するようになされている。シールドが、針ハブに対して解除可能に取り付けることができ且つ内側針の末端を包囲するために後退位置から伸長位置まで伸長可能である。シールドに隣接して柄が設けられている。針ハブによって形成されたシールド保持部材と解除可能に係合する構造とされたシールドによって形成されている。
【００３０】
該シールドは、結合面を形成しているシールド内に設けられた結合部材を含んでいる。この結合面は、後退位置と伸長位置との間で内側針を摺動可能に受け入れる構造とされた開口部を形成している。この結合部材は、内側針に対して抵抗力を形成するために内側針を摺動可能に受け入れる際に抵抗誘起部材が内側針と係合するように、少なくとも１つの抵抗誘起部材を含んでいる。この抵抗力は、内側針の長手軸線に対する結合部材の回転を容易にして、結合面が内側針と係合してシールドの伸長位置における内側針の摺動可能な動きを防止する。
【００３１】
この結合部材は、該結合部材から延びている針連通面を更に含んでいて、この針連通面が内側針と係合できるようにして結合部材の回転を防止する。針ハブのハブ穴と解除可能に係合するために、保持部材が前記針連通面から横方向に延びている。
【００３２】
特別な実施形態においては、シールドは、該シールドから延びているシース保持部材を更に含んでいる。シース保持部材は、シース保持部材からのシースの外れによってシールドとハブとの間に係合された保持部材を外さないように、シースに対する解除可能な嵌合を提供する。
【好ましい実施形態の説明】
【００３３】
本発明の上記の及びその他の特徴及び利点は、添付図面と組み合わせてなされる実施形態の以下の詳細な説明によって更に十分に理解できるであろう。
【００３４】
以下、ここに開示された医療用針シールド装置及びその作動方法の例示的な実施形態を、経皮的流体の注入、医薬の注入若しくは流体の採取のための医療用針、バイオプシーのような他の針のガイドに関して、より特別には例えば偶発的な針穿刺を含む針先端に対する危険な曝露を防止する針カニューレによって採用された針シールド装置に関して説明する。しかしながら、本発明は、例えば、硬麻針、脊麻針、バイオプシー針、マリファナ（ｃｈｉｂａ）針、脊椎カリエス針、コーナンド針、同軸導入針、Ｙ−部位等のような対象者に予防薬剤、薬剤、治療薬等を注入するための広範囲のカニューレ針及び装置に対する用途が見出すことが考えられる。
【００３５】
本発明は、軟組織バイオプシー、骨バイオプシー、瀉血、消化器、腸管、泌尿器、獣医学等に関する処置の際に採取されるものを含む体液及び／又は組織の採取のために採用することができる。医療用針シールド装置は、限定的ではないが、流体の注入、流体の採取、カテーテル、カテーテル導入器、ガイドワイヤ導入器、バイオプシー針導入器、脊椎麻酔及び硬膜麻酔、バイオプシー、失神、透析、血液ドナー、ベレス針、ヒューバー針等を含む他の医療用針の用途に使用することができる。
【００３６】
以下の説明において、“基端”という用語は、医師に近い構造部分を示しており、“末端”という用語は、医師から遠い方の部分を示している。ここで使用されている“対象者”という用語は、医療用針シールド装置を使用して注入を受ける患者又は血液、流体及び／又は組織の採取を受ける患者を示している。本発明に従って、“医師”という用語は、注入を管理し、流体又は組織の採取を行い又は医療用針シールド装置から針カニューレを抜き取る人及びその補助者を含んでも良い。
【００３７】
以下の説明は、医療用針シールド装置の説明を含んでおり、その後に、本発明による医療用針シールド装置を作動させる方法が続いている。添付図面に図示されている本発明の例示的な実施形態を詳細に参照する。
【００３８】
図面を参照すると、幾つかの図面を通して、同様の構成要素が同様の参照符号によって示されている。最初に図１乃至８を参照すると、本発明の原理の少なくとも１つの実施形態に従って構成された医療用針シールド装置は、例えば、針アセンブリのスタイレット３１６のような針の末端３１４を包囲するために後退位置（図１）から伸長位置（図４）まで伸長可能であるシールド３００を含んでいる。後退位置においては、シールド３００は、外側針３１７の針ハブ３３２に隣接して配置されている。
【００３９】
図示されている実施形態においては、針アセンブリは、中空の外側針３１７を含んでいる。スタイレット３１６が、以下に説明するように、医療用針の適用中に一緒に使用するための針３１７に対して摺動可能に且つ同心状に配置されている。スタイレットの柄３１８は、その操作を容易にするためにスタイレット３１６に結合されている。例えば、針カニューレ、ガイドワイヤ導入器等を含む他の針アセンブリもまた考えられる。
【００４０】
種々の針内での組織の穴開けを防止するためにスタイレットが一般的に使用される。スタイレットの材料としては、一般的に、ステンレス鋼及びポリプロピレンが含まれる。ステンレス鋼製のスタイレットは、針による穿刺の可能性を防止する。ポリプロピレンは、針穿刺による傷の可能性を示さないけれども、余りに可撓性であり且つより小さな直径の針において臨床的価値を有するスタイレットとして使用することができない。従って、ステンレス鋼のものと類似している堅牢性を有しているポリマーを使用する実施形態を考えることができる。しかしながら、これらの実施形態は、鋭利ではなく且つステンレス鋼のように針穿刺の可能性を主張する尖端特性を有している。この目的を達成するポリマーとしては、限定的ではないが、ＰＥＥＫ（ポリエーテルエーテルケトン）、ポリスルホン、ＰＥＬ（ポリエーテルイミド）、ポリアミド等が含まれる。
【００４１】
結合部材３６４がシールド３００内に配置されており且つ結合面３６８を形成している。結合面３６８は、後退位置と伸長位置との間でのスタイレット３１６の摺動可能な受け入れのための構造とされた開口部３６６を形成している。結合部材３６４は、例えばそこから延びている摩擦部材３６２のような抵抗誘起部材を含んでいる。
【００４２】
摩擦部材３６２は、該摩擦部材がスタイレット３１６と係合してスタイレット３１６に対して抵抗力を形成するように、後退位置と伸長位置との間を摺動可能にスタイレット３１６に係合する構造とされている。１つの又は複数の摩擦部材３６２を採用することも考えられる。
【００４３】
抵抗は、遮断部材３４０及び／又は３４２のうちの一方と組み合わせられて結合部材３６４を結合位置へと動かす（図４及び５）。遮断部材３４０及び／又は３６４を結合位置へと動かす力の結合を生じさせる。
【００４４】
スタイレット３１６が針連通面との係合状態から解除されると、結合部材３６４及び保持器４１４は結合位置へと動く。結合部材３６４の回転は、針連通面３７２においてもはやスタイレット３１６との係合によって対抗しない。従って、結合部材３６４は、保持器４１４に対する結合状態への傾斜を受ける。結合部材３６４の回転によって、結合面３６８は、スタイレット３１６と摩擦係合してその動きを防止する。
【００４５】
遮断部材３４０及び／又は３４２は、シールド３００上に付与された力が長手軸線ｘに沿ったいずれかの方向の相対的な動きを生じるので結合部材３６４を結合位置へと動かす。これは、スタイレット３１６をシールド３００内に維持して末端３１４への危険な曝露を避ける。針連通面３７２は、スタイレット３１６と係合するために、リブ、突出部、キャビティ等を含んでいても良いこと又は針連通面３７２の一部分がスタイレット３１６と係合することは考えられる。
【００４６】
スタイレット３００は、結合部材３６４を包囲するハウジング３１２を含んでいる。図示された実施形態においては、ハウジング３１２は、ハウジングの第１の部分３２８とハウジングの第２の部分３３０とを含んでいる。ハウジング部分３２８，３３０は、例えば、矩形、球形等のような種々の形状及び寸法とすることができることが考えられる。ハウジングの部分３２８，３３０は、例えば、スナップ嵌合、接着、溶剤接着、熱溶着、超音波溶着、ねじ結合、リベット結合等のような如何なる適当な方法によって結合しても良いことが考えられる。別の方法として、ハウジング３１２は、一体に形成しても又は多くのハウジング部分を一体に組み立てても良く且つ実質的に透明か不透明等であっても良い。ハウジング部分３２８，３３０は、医療用針シールド装置の操作を容易にするために、リブ、隆起部等を含んでいても良い。
【００４７】
針ハブ３３２が針３１７に対して取り付けられている。針ハブ３３２は、保持器４１４との解除可能な係合によってシールド３００に解除可能に取り付けられている。針ハブ３３２は、結合部材３６４を受け入れて係合するためのハブ穴４２４を備えている。針ハブ３３２はまた、例えば、シールド３００との解除可能な係合のための安全シールド保持部材（図示せず）をも含んでいても良い。適当な係合部材の例としては、限定的ではないが、バヨネット嵌合、傾斜嵌合、戻り止め嵌合、スナップ嵌合、変形可能な幾何学的構造、摩擦嵌合、吸引嵌合、マグネット結合等がある。
【００４８】
針ハブ３３２は、特別な医療用途の要件に従って、種々の用途のために、本発明の医療用針シールド装置によって採用される。シールド３００及び針ハブ３３２は、使用のために針３１７及びスタイレット３１６を摺動可能に支持している。柄３１８はその操作を容易にする。
【００４９】
図示された実施形態においては、針ハブ３３２はまた、針ハブ３３２をシールド３００から離れる方向に長手軸線ｘに沿って付勢するための指用タブ４０５をも含んでいる。この構造は、医療用針用途の際に、針ハブ３３２と針３１７とのシールド３００に対する取り外し及び使用を容易にする。指用タブ４０５は、針の用途に従って、別の形状及び寸法とすることもできる。少なくとも一つの実施形態においては、ハブ３３２はまた、流体が針３１７を出て行った直後の流体のフラッシュバックを見るための位置に拡大器部分をも含んでいる。
【００５０】
針ハブ３３２のフランジは、ハウジング３１２の内面近くに設けられた制御面４１０に対して同心状に支持されている。制御面４１０は、該制御面を解除可能に支持するためのフランジ４０４の外側面４１１と係合している。外側面４１１は、ハウジング３１２との解除可能な位置決めを維持するために摩擦嵌合、干渉嵌合等によって制御面４１０と係合しても良い。制御面４１０は、針ハブ３３２の他の部分と係合しても良いことが考えられる。更に、上記したシールド保持部材（図示せず）が、例えば、フランジ４０４から径方向に延びているボスとしてフランジ４０４によって形成することができる。かみ合いハブ保持部材は、例えば、制御面４１０内の“Ｌ”字形状の穴として形成することができる。
【００５１】
図示されている実施形態においては、ハウジング３１２は、ハウジング３１２に対する針ハブ３３２の位置決めを容易にするハブストッパ面４１２を含んでいる。ハブストッパ面４１２は、ハウジング３１２による及びに対する取り付け中に針ハブ３３２の基端方向への動きを防止する。ハブストッパ面４１２は、特別な医療用針用途の要件に従って、ハウジング３１２に対する挿入程度の制御を容易にするのが有利である。１つ又は複数のハブストッパ面４１２を採用しても良い。ハブストッパ面４１２は、針ハブ３３２に対する取り付けを容易にするために、ばね、クリップ等を含んでいても良いことが考えられる。更に、上記したハブ保持部材（図示せず）は、例えば、ハブストッパ面４１２から径方向内方へ延びているボスとしてハブストッパ面４１２によって形成することができることも考えられる。かみ合いシールド保持部材（図示せず）は、例えば、フランジ４０４内の“Ｌ”字形状の穴として形成することができる。
【００５２】
保持器４１４は、針連通面３７２の末端から横方向に延びている。ハブ保持器４１４は、針ハブ３３２のハブ穴４２４内に対応して受け入れる十分な長さだけ延びている。結合部材３６４の非結合又は摺動位置と関連して、保持器４１４は、シールド３００のハウジング３１２に解除可能に取り付けるためにハブ穴４２４内で針ハブ３３２と係合している。
【００５３】
医療用針シールド装置の構成部品は、特別な医療用途及び／又は医師の好みに応じて、例えば、ポリマー又はステンレス鋼のような金属の医療用途に適した材料によって作ることができる。半硬質及び硬質のポリマーばかりでなく、成形された医療等級のポリプロピレンのような弾性材料が製造用として考えられる。しかしながら、当業者は、本発明に従って組み立て及び製造に適した他の材料及び製造方法もまた適していることを認識するであろう。
【００５４】
外側針３１７もまた可撓性のポリマー材料によって作られても良いこと及び医療用針装置の構成要素は、例えば、カテーテル、シェルディンガー針のようなガイドワイヤ導入器等のような他の用途に採用しても良いことが考えられる。
【００５５】
結合部材３６４は、一体に形成されても良く且つ開口部プレート３６５、摩擦部材３６２、端部検知部材３７１、針連通面３３７及び保持器４１４を含んでいる。結合部材３６４は、１以上の摩擦部材３６２を含んでいても良いことが考えられる。開口部プレート３６５は、以下に説明するように、スタイレット３１６を結合するための力を生成するための十分な堅牢性を有する矩形で概して平らな形状を有している。開口部プレート３６５は、弓形の面、波状面等を有していても良いことが考えられる。更に、開口部プレート３６５は、特別な用途の要件に従った剛性度合いを有していても良いことも考えられる。
【００５６】
摩擦部材３６２は、結合部材３６４によって一体に形成され且つ開口部３６６と整合し且つスタイレット３１６と係合するように関連して開口部プレート３６５から延びていても良い。各摩擦部材３６２は、スタイレット３１６との摺動係合を容易にするために隔置されている可撓性のアーム３６３を含んでいても良い。このような係合は、スタイレット３１６に対して摩擦抵抗力を生じる。遮断部材３４０及び／又は３４２のうちの一つと組み合わせたこの摩擦抵抗力は、結合部材３６４をスタイレット３１６に対して動かして開口部プレート３６５の傾斜力及び傾きを生じる。傾斜力及び傾きは結合部材３６４の回転を強いる。単一の摩擦部材を採用しても良いことが考えられる。更に、摩擦部材３６２は、針の用途の特別な要件に従って変化する摩擦力を有することができる可撓性部分を有していても良いことも考えられる。
【００５７】
スタイレット３１６の動きによって助長されるように、傾斜力は、結合部材３６４の回転に対抗し且つ防止する端部検知部材３７１のてこ作用又はモーメントを生じさせる。この傾斜力は、結合部材３６４の非結合状態又は摺動状態（図２）においてスタイレット３１６に対する針連通面３７２の係合に対抗する。
【００５８】
端部検知部材３７１は、開口部プレート３６５からスタイレット３１６に対して平行に末端方向へ延びている。端部検知部材３１７は、開口部プレート３６５によって規定された面に対して直角に向けられても良い。直角な配向は、結合部材３６４との結合状態又は非結合状態で廃棄するための開口部プレート３６４の傾斜を容易にする。端部検知部材３７１は、開口プレート３６５に対して種々の方向に向けることができ且つそこから柔軟に延びることができる。
【００５９】
針連通面３７２は、スタイレット３１６に向けられた端部検知部材３７１の傾斜力に対抗する。この傾斜力は、遮断部材３４０及び／又は３４２のうちの一つと組み合わせられた摩擦部材３６２によって発生され且つ開口部プレート３６５の傾斜を容易にする。しかしながら、傾斜は、スタイレット３１６に対する針の係合により、非結合又は摺動状態においては阻止される。スタイレット３１６は基端方向に後退せしめられ、シールド３００は末端方向に伸長せしめられ、スタイレット３１６は針連通面３７２に摺動可能に係合し続ける。
【００６０】
図４に示されているようにスタイレット３１６が針連通面３７２との係合状態から解除されると、摩擦部材３６２とスタイレット３１６との間に抵抗力が生じる。遮断部材３４２と組み合わせられたこの抵抗力は、上記したように開口部プレート３６５を結合状態へと移動させる。
【００６１】
開口部プレート３６５の回転によって、結合面３６８がスタイレット３１６と摩擦係合せしめられてその動きが阻止される。シールド３００に長手軸線ｘに沿った方向の力がかかると、遮断部材３４０，３４２は開口部プレート３６５を結合状態へと移動させる。これによって、スタイレット３１６はシールド３００内に維持されて末端３１４に対する危険な曝露が避けられる。
【００６２】
遮断部材３４０，３４２は、ハウジング部分３２８，３３０のうちの一方又は両方によって形成することができ且つスタイレット３１６と干渉しないように配置される。遮断部材３４０，３４２は、各々、結合状態での開口部プレート３６５の廃棄を容易にする面３４０Ａ，３４２Ａを形成している。
【００６３】
シールド３００の後退位置と伸長位置との間を動く際にスタイレット３１６と摺動係合するように開口部プレート３６５内に開口３６６が形成されている。開口３６６は、該開口３６６の両側に形成された係合面３６８を含んでおり、これらの係合面は、スタイレット３１６と係合してシールド３００の伸長位置における動きを阻止する。スタイレット３１６の動きを阻止するための係合として貫通、摩擦、干渉等が含まれても良いことは考えられる。開口３６６は、放射状、角形等のような種々の幾何学的構造を有していても良いことが考えられる。更に、開口３６６は、例えば“Ｕ”字形状のような開口部プレート３６５内の開口したキャビティを形成し且つ開口部プレート３６５の複数の端縁のうちの１つ又は複数に対して開口していても良いことも考えられる。
【００６４】
長手軸線ｘに対する開口部プレート３６５の傾斜によって、スタイレット３１６の結合面３６８を介するシールド３００内の摺動及び結合を容易にして末端３１４に対する危険な曝露を防止する。例えば、図２に示されているように、開口部プレート３６５は、長手軸線ｘに対して約９０°の角度で配向されて、開口部プレート３６５がスタイレット３１６に対してほぼ直角に配置されるようになされている。非結合状態又は摺動状態においては、スタイレット３１６は、開口３６６内で自由に摺動する。スタイレット３１６が後退せしめられ且つシールド３００が伸長せしめられると、スタイレット３１６は、針連通面３７２と係合し続け、開口部プレート３６５は長手軸線ｘに対して直角な向きに維持される。
【００６５】
図５を参照すると、シールド３００は、遮断部材３４２と組み合わせられた摩擦部材３６２が結合部材３６４を長手軸線ｘに対して回転させる。開口部プレート３６５は、長手軸線ｘに関して９０°未満の角度αで配向されるように、スタイレット３１６に対する直角整合状態から回転する。角度αは開口部プレート３６５の片側から測定することができることが考えられる。
【００６６】
開口部プレート３６５は角度αまで回転し、結合部材３６４は結合状態に近づく。結合状態は、開口部プレート３６５の結合状態により、スタイレット３１６に対する結合面３６８の結合を含んでいる。この係合は、摩擦部材３６２及び遮断部材３４０，３４２と組み合わせられてスタイレット３１６に対する結合摩擦力を形成して末端方向及び基端方向の両方向におけるシールド３００に対するスタイレット３１６の動きを阻止し且つ末端３１４をシールド３００内に維持して末端３１４に対する危険な曝露を防止する。
【００６７】
図２に示されているように、例えば、シールド３００は後退位置にあり、スタイレット３１６は一杯に伸長されている。結合部材３６４と開口部プレート３６５とは、開口部プレート３６５が長手軸線ｘにほぼ直角であるように非結合又は摺動状態にある。結合部材３４０，３４２は、開口部プレート３６５と係合して開口部プレート３６５を直角状態に維持することができる。遮断部材３４０，３４２はまた、スタイレット３１６の伸長中にこのような配置を維持しても良いし又はスタイレット３１６と係合しなくても良い。
【００６８】
図５に示されているように、スタイレット３１６が後退し且つシールド３００が伸長すると、摩擦部材３６２は、スタイレット３１６との係合によって結合部材３６４上に抵抗力を生じさせ、遮断部材３４２と結合して開口部プレート３６５を係合状態へと反時計方向に回転させる。遮断部材の面３４０Ａ，３４２Ａは、開口部プレート３６５と係合して直角状態から結合状態への回転を助長して結合面３６８が上記したようにスタイレット３１６と係合するようにさせる。この構造は、スタイレット３１６の動きを阻止する。
【００６９】
スタイレット３１６に対する結合部材３６４の結合は、結合面３６８とスタイレット３１６との間に発生される摩擦力によって助長される。この摩擦係合によって、シールド３００が伸長位置にあるときにハウジング３１２に対するスタイレット３１６の軸線方向の動きが阻止される。この構造は、スタイレット３１６に対する危険な曝露を防止するので有利である。結合面３６８は摩擦係合を増大させるために鋭い端縁を含んでいても良いことが考えられる。更に、例えば、開口部３６６の形状及び寸法、スタイレット３１６の形状及び寸法、開口部プレート３６５の厚み、遮断部材３４０，３４２の接触点からスタイレット３１６の中心線までの寸法並びに針の用途の特別な要件に応じた開口３６６とスタイレット３１６との間の摩擦係数のような１以上の変化するファクタによって結合摩擦力が形成され且つ変化することも考えられる。
【００７０】
摩擦部材３６２は、開口部プレート３６５の傾斜の変化によって抵抗力を変えるような構造としても良く、この抵抗力の変化は、例えば摩擦部材３６２と係合するための楔形状又は切り欠きの傾斜のような摩擦部材の形状の幾何学的構造の変化によって達成することができることが考えられる。抵抗力のこの変化はまた、摩擦改造材料又は例えばオイル、ジェル、グリース若しくは摩擦を増大させるコーティングのようなコーティングの選択的な適用によって達成することもできる。
【００７１】
スタイレット３１６が基端方向に後退せしめられ、シールド３００が末端方向に伸長せしめられると、保持器４１４は、摩擦部材３６２によって発生される傾斜力によって、長手軸線ｘに対して反時計方向に回転せしめられる（図４）。保持器４１４は、針ハブ３３２をハウジング３１２から解除するためにハブ穴４２４から外れる。医師は、指用タブ４０５を操作して針ハブ３３２をシールド３００から末端方向へ離れるように操作することができる。保持器４１４は、針連通面３７２から種々の方向に向けられても良いことは考えられる。更に、ハブ穴４２４は、針ハブ３３２の外周の近辺まで延びるように種々の大きさとすることができることも考えられる。
【００７２】
図９を参照すると、上記のものと類似した結合部材３６４の代替的な実施形態が示されている。開口部プレート５６５は、多角形状の構造を有しており且つスタイレット３１６に平行に均一な軸線方向に延びている端部検知部材５７１を有している。針連通面５７２は、端部検知部材５７１のアーム間のキャビティ５２３に橋を渡すために横切る方向に延びている。結合部材３６４は、上記したものと類似のハブ穴４２４と係合するために延びている保持器５１４を含んでいる。摩擦部材５６２は、スタイレット３１６と結合するためのカールした係合面を含んでいる。
【００７３】
図１０を参照すると、上記のものと類似した結合部材３６４の別の代替的な実施形態が示されている。端部検知部材６７１は、開口部プレート６６５から軸線方向に延びており、保持器６１４がそこから横切る方向に延びている。摩擦部材６６２が結合面６６８に隣接して配置されている。摩擦部材６６２は、ここに説明するように、スタイレット３１６と摺動可能に係合し且つ抵抗力を生じさせるために開口部プレート６６５から弓形状に撓んでいる。結合部材３６４は、結合部材３６４の回転を阻止するためにスタイレット３１６と係合可能な針連通面６７２を有している。
【００７４】
図１１を参照すると、上記したものと似た結合部材のもう一つ別の実施形態が示されている。端部検知部材７７１が開口部プレート７６５から軸線方向に延びており、保持器７７１４がそこから横切る方向に延びている。摩擦部材７６２は、開口部プレート７６５によって取り付けられている矩形形状を有している。摩擦部材７６２は、開口７６６と整合された開口部を形成している。摩擦部材７６２の開口部と開口７６６の結合面６６８とは、スタイレット３１６に摺動可能に係合して上記したものと似た抵抗力を形成する。結合部材３６４は、スタイレット３１６と係合して結合部材３６４の回転を防止することができる針連通面７７２を有している。
【００７５】
図１２に示されているもう一つ別の実施形態においては、結合部材３６４は、各々、開口部プレート３６５の基端側及び末端側に設けられた別個の摩擦部材８６２を含んでいる。摩擦部材８６２は、該摩擦部材とのスタイレット３１６の摺動を可能にする摩擦嵌合リングであり且つスタイレット３１６との係合によって上記したものに似た摩擦抵抗力を付与する。スタイレット３１６が摺動すると抵抗力が形成され、摩擦部材８６２が開口部プレート３６５と係合する。摩擦部材８６２は開口部プレート３６５と係合し且つ遮断部材３４０と協働して開口部プレート３６５を反時計方向に回転させる。結合面３６８は、スタイレット３１６と係合して上記したようにスタイレット３１６の軸線方向の動きを阻止する。摩擦部材８６２は、高分子物質、金属等のような材料によって製造することができることが考えられる。
【００７６】
別の方法として、図１３に示されているように、摩擦部材９６２は、２つの部材９６４を連結し又は結合させる一体部材を形成しても良い。部材９６４は、スタイレット３１６及び開口部プレート３６５と係合して図１２に関して説明したものと同様にスタイレット３１６の軸線方向の動きを阻止する。開口３６６は、スタイレット３１６との係合によって抵抗力を形成して上記したものと似た結合部材３６４の回転を生じさせることが考えられる。更に、結合部材３６４の回転を生じさせるためにスタイレット３１６に対して摩擦抵抗力を形成する例えばジェル、グリース等のような材料を採用しても良いことも考えられる。
【００７７】
図１４に示されている代替的な実施形態においては、ハウジング３１２は、ハブ支持部材１０２０を含んでいる。ハブ支持部材１０２０は、針ハブ３３２によって受け入れられてシールド３００に対する針ハブ３３２の取り外し可能な取り付けを有利に助長する。別の方法として、図１５に示されているように、ハウジング３１２の制御面４１０は削除するか又は排除しても良い。この構造は、ハブ支持部材１０２０がこの構造との同心関係によって針ハブ３３２の取り付けを単独で助長するのを可能にする。
【００７８】
再び図１乃至８を参照すると、医師（図示せず）は、シールド３００が後退位置（図２）にあり且つ結合部材３６４が非結合又は摺動状態にあるように柄３１８を操作する。スタイレット３１６は、針ハブ３３２が針３１７の周りに配置され且つ針ハブ３３２がハウジング３１２に対して解除可能に取り付けられるようにシールド３００に対して伸長される。スタイレット３１６及び針３１７を備えた医療用針シールド装置を採用する方法は、医師によって完璧に行われる。
【００７９】
スタイレット３１６が基端方向に後退せしめられて、シールド３００が伸長位置に向かって伸長される。結合部材３６４は、スタイレット３１６が針連通面３７２及び結合面３６８と係合して上記したように開口３６６内での摺動を助長する。
【００８０】
図５を参照すると、スタイレット３１６が針連通面３７２を通り過ぎると、保持器４１４は、摩擦部材３６２に対するスタイレット３１６の係合によって生じる傾斜力によって自由に回転する。開口部プレート３６５は、直角な状態から遮断部材３４０，３４２によって助長されるように結合状態のための傾斜状態へと長手軸線ｘに対して反時計方向に回転する。開口部プレート３６５は、長手軸線ｘに対して角度αまで回転する。
【００８１】
保持器４１４は、ハブ穴４２４から外れて、針ハブ３３２はハウジング３１２から解除される。針ハブ３３２は、指用タブ４０５によって末端方向に操作することができる。結合状態においては、結合面３６８は、スタイレット３１６と係合してハウジング３１２内のスタイレット３１６の軸線方向の動きを阻止する。シールド３００は、伸長位置に配置されて末端３１４に対する危険な曝露を阻止する。
【００８２】
図１６乃至１９を参照すると、医療用針安全装置のもう一つ別の代替的な実施形態が示されている。把持部材部分１１２９を有している外側把持部材１１２５が、シールド３００の回転及び包囲のために設けられている。外側把持部材１１２５は、柄３１８に取り付けられ且つシールド３００の伸長位置においてシールド３００及びスタイレット３１６に対して自由に回転する。外側ハウジング１１２５の相対的な回転は、外側ハウジング１１２５内に形成された軸受け開口部１２７における支持によって助長される。軸１１３１，１１３１Ａは、各々、軸受け開口部１１３０，１１２７によって回転可能に支持されている。結合状態においては、軸受け構造は、シールド３００及びスタイレット３１６に対する外側ハウジング１１２５の回転を支持する。ハウジング３１２は、上記したものと似た遮断部材３４０，３４２を含んでいる。スタイレット３１６は、遮断部材３４０，３４２に対して枢動可能に動くように遮断部材３４０，３４２内を通過する。軸１１３１の半体同士は、スタイレット３１６及び保持器４１４がその中に配置されるように互いに隔置されている。
【００８３】
図２０を参照すると、代替的な実施形態において、ハウジング３１２は、ハウジング３１２に取り付けられたスラストカラー１１３２を含んでいる。外側把持部材１１２５の対応スラストベース１１３３は、スラストカラー１１３２を支持する構造とされており且つハウジング３１２と外側把持部材１１２５との間の相対的な軸線方向の動きを制御する。スラストカラー１１３２は、ハウジング３１２の回転を助長し且つ外側把持部材１１２５内でのシールド３００の傾斜を制限するために、スラストベース１１３３内で自由に回転する。別の方法として、図２１及び３７に示されているように、外側把持部材１１２５は、上記したものと似たハブ支持部材１１２０を含んでいる。もう一つ別の代替例においては、図２３乃至２５に示されているように、ハウジング３１２の制御面４１０は、上記したものと同様に、削除されても排除されても良い。ハウジング３１２に対する針ハブ３３２の取り付け関係を容易にするために、外側ハウジング１１２５に結合されている。
【００８４】
図２６を参照すると、シールド３００は後退位置にあり、結合部材３６４は非結合又は摺動位置にある。スタイレット３１６は、末端３１４が針３１７から突出するようにシールド３００に対して伸長されている。針ハブ３３２は、ハウジング３１２に対して解除可能に取り付けられている。図２７を参照すると、スタイレット３１６は、シールド３００が伸長位置まで伸長され且つ結合部材３６４が結合位置に配置されるように、基端方向に後退せしめられている。伸長位置においては、針ハブ３３２はシールド３００から解除され、外側ハウジング１１２５はシールド３００を包囲している。
【００８５】
この構造は、スタイレット３１６の長手軸線ｘを中心とするシールド３００の回転を阻止して、結合部材３６４が不所望に回転してスタイレット３１６に対する保護結合係合を妨害しないようにスタイレット３１６の長手軸線ｘを中心とするシールド３００の回転を阻止する。従って、シールド３００の保護構造を故意に悪用し且つ破壊する可能性が減じられる。開口部１１２７の長さは、スタイレット３１６に対する開口部１１２７の径方向のクリアランスが外側把持部材１１２５内でのシールド３００の傾斜を制限するように長くしても良いことが考えられる。この構造は、外側把持部材１１２５に対するシールド３００の径方向の接触を防止する。
【００８６】
もう一つ別の実施形態においては、図２８乃至３２に示されているように、医療用針シールド装置は、上記したものと同様に、針アセンブリのスタイレット１２１６の末端１２１５を包囲するために後退位置から伸長位置まで伸長可能であるシールド１２００を含んでいる。スタイレット１２１６は、医療用針用途の際に針アセンブリを採用するために、針アセンブリの針１２１７に対して摺動可能に且つ同心状に配置されている。スタイレットの柄１２１８は、スタイレット１２１６に対して結合されている。
【００８７】
結合部材１２６４は、シールド１２００内に設けられており且つ結合面１２６８を形成している。結合面１２６８は、開口部１２６６を形成している。結合部材１２６４は、該結合部材から延びている摩擦部材１２６２を含んでいる。結合部材１２６４は、スタイレット１２１６と係合して結合部材１２６４の回転を防止する針連通面１２７２を有している。摩擦部材１２６２は、後退位置と伸長位置との間をスタイレット１２１６に対して摺動可能に係合して、摩擦部材１２６２がスタイレット１２１６と係合して上記したものと同様にスタイレット１２１６に対する抵抗力を生じさせる構造とされている。シールド１２００は、結合部材１２６４を包囲しているハウジング１２１２を含んでいる。
【００８８】
スタイレット１２１６が針連通面１２７２との係合状態から解除されると、結合部材１２６４と保持器１２１４とは結合位置へと動く。結合部材１２６４の回転によって、結合面１２６８がスタイレット１２１６と係合せしめられてその動きを阻止する。ハウジング１２１２は、シールド１２００に付与された力が該シールド１２００の長手軸線ｘに沿ったいずれかの方向の相対的な動きを生じさせると、結合部材１２６４を結合位置へと動かす遮断部材１２４０及び／又は１２４２を含んでいる。このことにより、スタイレット１２１６がシールド１２００内に維持されて末端１２１４に対する危険な曝露が避けられる。
【００８９】
結合部材１２６４は、開口部プレート１２６５、摩擦部材１２６２、端部検知部材１２７１、針連通面１２７２及び保持器１２１４を含んでいる。端部検知部材１２７１は、上記したように、針連通面１２７２及び保持器１２１４の回転を容易化する一対の弓状のアームを含んでいる。
【００９０】
摩擦部材１２６２は、開口１２６６と整合し且つスタイレット１２１６と係合するために開口部プレートから延びている。各摩擦部材１２６２は、開口部プレート１２６５から隔置されているＵ字形状のアームを含んでいても良い。Ｕ字形状のアーム同士は、スタイレット１２１６に対する摺動係合を容易化するために隔置されている。このような係合によって、スタイレット１２１６に対する摩擦抵抗力が形成される。この摩擦抵抗力は、遮断部材１２４０及び／又は１２４２のうちの一方と組み合わせられて、結合部材１２６４をスタイレット１２１６に対して動かして保持器１２１４に傾斜力を生じさせ且つ開口部プレート１２６５の傾きを生じさせる。針連通面１２７２は、スタイレット１２１６の方に向けられた端部検知部材１２７１の傾斜力に対抗する。
【００９１】
スタイレット１２１６が針連通面１２７２との係合状態から解除されると、開口部プレート１２６５の回転が結合面１２６８をスタイレット１２１６に摩擦係合させてその動きを阻止する。遮断部材１２４０，１２４２は、シールド１２００に対して長手軸線ｘに沿ったいずれかの方向の力がかけられると、開口部プレート１２６５を結合状態へと移動させる。これは、スタイレット１２１６をシールド１２００内に維持して末端１２１４に対する危険な曝露を避ける。
【００９２】
スタイレット１２１６が後退せしめられ、シールド１２００が伸長せしめられると、摩擦部材１２６２は、結合部材１２６４上にスタイレット１２１６に対する係合による抵抗力を生じさせ且つ遮断部材１２４０と係合させて開口部プレート１２６５を反時計方向に回転させて結合状態とする。遮断部材１２４０Ａ，１２４２Ａは、開口部プレート１２６５と係合して、直角位置から結合位置への回転を容易化して、結合面１２６８が上記したようにスタイレット１２１６と係合するようにさせる。この構造はスタイレット１２１６の動きを阻止する。
【００９３】
針ハブ１２３２は針１２１７に対して取り付けられている。針ハブ１２３２は、保持器１２１４に対する解除可能な結合によってシールド１２００に対して解除可能に取り付けられている。針ハブ１２３２は、保持器１２１４を受け入れ且つ該保持器１２１４と係合するためのハブ穴１２２４を有している。この構造は、医療用針としての使用の際に、シールド１２００からの針ハブ１２３２及び針１２１７の取り外し及び使用を容易化する。
【００９４】
針ハブ１２３２のフランジは、以下に説明するように、外側把持部材１２２５の制御面１２１０によって同心状に支持されている。他の形体の結合を採用しても良いことが考えられる。制御面１２１０は、該制御面の解除可能な支持のためにフランジ１２０４と係合する。ハウジング１２１２は、該ハウジング１２１２に対する針ハブ１２３２の位置決めを容易化するハブストッパ面１２０１を含んでいても良い。
【００９５】
針ハブ１２３２のハブ穴１２２４内への受け入れのために保持器１２１４が針連通面１２７２から延びている。結合部材１２６４の非結合又は摺動状態に関連して、保持器１２１４は、シールド１２００に対する解除可能な取り付けのためにハブ穴１２２４内に配置されている。スタイレット１２１６が後退せしめられ、シールド１２０６が伸長せしめられると、保持器１２１４は、反時計方向に回転してハブ穴１２２４から外れて針ハブ１２３２をハウジング１２１２から解放する。
【００９６】
シールド１２００の回転及び包囲のために外側把持部材１２２５が設けられている。外側把持部材１２２５は、柄１２１８に対して取り付けられ且つシールド１２００の伸長位置において、シールド１２００及びスタイレット１２１６に対して自由に回転する。外側ハウジング１２２５の相対的な回転は、上記したものと同様に、外側ハウジング１２２５及び軸１２３４内に形成された軸受け開口部１２２３において支持されることによって容易化される。係合状態においては、少なくとも１つの軸受けを含んでいる軸受け構造は、シールド１２００及びスタイレット１２１６に対する外側ハウジング１２２５の回転を支持する。
【００９７】
図３３を参照すると、医療用針シールド装置のもう一つ別の実施形態は、安全シールドを医療用針のハブに対して解除可能に保持するための手段を含んでいる。図３４乃至３６に示されているようにハブ１８０１は、安全シールド１８０４上のハブ保持部材と相互作用する安全シールド保持部材１８０２を含んでいる。この相互作用によって、故意に取り外されるまで安全シールド１８０４がハブ１８０１に対して保持される。この相互作用としては、例えば、バヨネット嵌合、傾斜嵌合、戻り止め嵌合、スナップ嵌合、変形可能な幾何学的構造、摩擦嵌合、吸引結合、マグネット結合又は当技術において知られているあらゆる適当な取り外し可能な保持構造がある。
【００９８】
安全シールドは、相互作用方法に打ち勝つことによって保持部材１８１８から解除しても良い。図３７乃至４２に示された一つの構造は、バヨネット嵌合を含んでいる。この嵌合は、例えば、安全シールド１８０４を回転させ、次いで、安全シールド１８０４を末端方向へ伸長させることによって打ち勝つことができる。その他のこのような嵌合及び相互作用方法も同様に打ち勝つことができる。
【００９９】
この構造はまた、外側把持部材１８１０を備えた安全シールド１８０４をも提供する。この外側把持部材は、安全シールド１８０４の作動を容易化するために使用しても良い。医師は、外側把持部材１８１０を把持し且つ（必要ならば）保持部材１８１８を外れさせ且つ安全シールド１８０４が作動せしめられるまで該安全シールド１８０４を末端方向へ伸長させる。ここに説明する結合部材に基づいて、安全シールド１８０４は、外側把持部材１８１０と共に使用するようになされている。外側把持部材は、例えば、翼部、タブ、ボタン、環状リム等を含むことができる。把持を容易にするために、リブ、グリップ形状等のような選択された表面構造を安全シールド面に設けることもできる。
【０１００】
図４３乃至４５を参照すると、安全シールドを医療用針のハブに解除可能に保持するための別の手段が図示されている。安全シールド１８０４は、表面１８０５における摩擦によってハブ１８０１と相互作用する安全シールド保持部材１８１８を含んでいる。この相互作用によって、安全シールド１８０４は、故意に取り外されるまでハブ１８０１に保持される。保持部材１８１８とハブ１８０１との間の相互作用はまた、ハブ１８０１に対する安全シールド１８０４の整合機構としても機能することができる。安全シールドは、表面１８０５における摩擦嵌合に打ち勝つことによって保持部材１８１８から解除されても良い。１以上の保持部材１８１８を使用しても良いことが考えられる。
【０１０１】
図４５は、安全シールドを医療用針のハブに解除可能に保持するための保持部材１８１８のもう一つ別の実施形態を示している。保持部材１８１８は、表面１８０５において摩擦嵌合によってハブ１８０１と相互作用する伸長面を含んでいる。この相互作用によって、安全シールド１８０４は、故意に取り外されるまでハブ１８０１に保持される。保持部材１８１８とハブとの間の相互作用はまた、ハブ１８０１に対する安全シールド１８０４のための整合機構として作用することもできる。安全シールドは、表面１８０５における摩擦嵌合に打ち勝つことによって保持部材１８１８から解放することができる。１以上の保持部材１８１８を使用しても良いことが考えられる。
【０１０２】
図４６乃至４８に示された特別な構造は、シース保持部材１８２１によって安全シールド１８０４に嵌合するシース１８２０を含んでいる。このシース保持部材は、シース１８２０の取り外しが安全シールド１８０４と干渉せず又は外れさせないように安全シールド保持部材１８０２に結合することができる。シース保持部材１８２１は、例えば、摩擦嵌合、圧入、吸引結合、バヨネット嵌合、戻り止め結合、変形可能な幾何学構造、スナップ嵌合等を含むことができる。シース保持部材１８２１は、故意に取り外されるまでシース１８２０を保持する。シース１８２０を取り外すためには、医師は、シース１８２０を把持し且つシース保持部材１８２１が外れるまでシース１８２０を末端方向に付勢することができる。
【０１０３】
図４９乃至５１を参照すると、本発明の医療用安全シールド装置のもう一つ別の特別な実施形態は、その中の流体のフラッシュバックを見るための拡大器部分１９０２を有しているハブ１９０１を含んでいる。ハブ１９０１は、フラッシュバックが針１９０３を出て行った直後に流体のフラッシュバックを見るためにハブ１９０１に形成されるか又は取り付けられた拡大器部分１９０２を含んでいる。図５０に示されている拡大器部分１９０２の視認部分１９０４は、拡大器部分１９０２の焦点領域１９０５よりも大きい。それによって、医師は、より大きな視認領域１９０４を介してフラッシュバック領域１９０６の小さい部分を見ることができ且つフラッシュバックをより容易に見ることができ、それによってある医療処置に対する対処時間を短くすることができる。
【０１０４】
ハブ１９０１上の拡大器部分１９０２は、焦点領域１９０５からの光を医師の視認領域１９０４へと屈折させることによって焦点領域１９０５の視認程度を高める。図５１は、光が焦点領域１９０５から視認領域１９０４の湾曲した部分１９０７を通過する際に、焦点領域１９０５から拡大器部分１９０２への光の屈折を示している。これによって、焦点領域１９０５は、視認領域１９０４から見たときに拡大され、流体のフラッシュバックの視覚検知程度が高められる。
【０１０５】
焦点領域１９０５の大きさ及び配置並びに拡大程度は、湾曲した部分１９０７の湾曲程度に依存する。焦点領域１９０５、湾曲部分１９０７及び視認領域１９０４は、特別な用途に対してより良く適合するようにすることができる。例えば、このような適合としては、限定的ではないが、焦点領域１９０５の大小、拡大程度の大小及び視認領域の大小がある。拡大器部分１９０２は、例えば、ポリカーボネート、ポリスチレン、アクリル、ＰＶＣ、ガラス等のような多数の透明材料のうちのいずれかによって形成することができることが考えられる。更に、拡大器部分１９０２は、例えば、ハブ１９０１が実質的に透明な材料によって作られた状態でハブ１９０１と一体的に形成しても良い。
【０１０６】
図５２乃至５４に示されているように、もう一つ別の実施形態においては、医療用針シールド装置は、図２８乃至３２に関して説明したものと類似しており且つ針アセンブリのスタイレット１３１６の末端を包囲するために後退位置から伸長位置まで伸長可能であるシールド１３００（図５３）内に設けられた結合部材１３６４を含んでいる。スタイレット１３１６は、骨バイオプシー針としての使用の際に採用するために針アセンブリの針１３１７と摺動可能に且つ同心状に設けられる。スタイレットの柄１３１８は、スタイレット１３１６に結合されている。
【０１０７】
作動中には、本発明の原理に従って説明されたものと類似した医療用針シールド装置が、針ハブ１３３２によって採用するために設けられる。医師（図示せず）は、シールド１３００が後退位置（図５２）にあり且つ結合部材１３６４が非結合位置又は摺動位置にあるように柄１３１８を操作する。スタイレット１３１６は、針ハブ１３３２が針１３１７の周りに配置され且つ針ハブ１３３２がハウジング１３１２に対して解除可能に取り付けられるように、シールド１３００に対して伸長せしめられる。スタイレット１３１６及び針１３１７を備えた医療用針シールド装置を採用する処置は、医師によって完璧に行われる。
【０１０８】
針ハブ１３３２は、ハウジング１３１２に対して解除可能に取り付けられている。図５３を参照すると、スタイレット１３１６は、シールド１３００が伸長位置へと伸長せしめられ且つ結合部材１３６４が結合位置に配置されるように基端方向に後退せしめられる。針ハブ１３３２はシールド１３００から解放され、外側ハウジング１３２５は伸長位置においてシールド１３００を包囲する。このことにより、スタイレット１３１６がシールド１３００内に維持されてスタイレット１３１６の末端に対する危険な曝露を避けることができる。
【０１０９】
別の方法として、図５５乃至５７に示されているように、図５２乃至５４に関して上記したシールド１３００を含んでいる医療用針シールド装置は、図２８乃至３２に関して説明したものと類似しているシールド１４００内に設けられた結合部材１４６４を含んでいる。シールド１４００は、結合部材１４６４を包囲しているハウジング１４１２を含んでいる。シールド１４００は、針１３１７の末端を包囲するために、後退位置から伸長位置まで伸長可能である。
【０１１０】
作動時には、針ハブ１３３２がシールド１３００から解除され、外側ハウジング１３２５が伸長位置においてシールド１４００を包囲する。これにより、針１３１７がシールド１４００内に保持されてその末端に対する危険な曝露を避けることができる。
【０１１１】
図５８乃至６０に示された代替的な実施形態においては、医療用針シールド装置は、上記したものと類似したシールド１６００内に配置されている結合部材１６６４を含んでおり、シールド１６００は、針アセンブリの針１５１７の末端を包囲するために、後退位置から伸長位置まで伸長可能である。スタイレット１５１７は、プローブガイド１６３４を使用する骨バイオプシー針用途の際に針アセンブリに対して使用するために、針アセンブリの針１５１７に対して摺動可能に且つ同心状に設けられている。
【０１１２】
結合部材１６６４は、シールド１６００内に配置されており且つ結合面１６６８を形成している。結合部材１６６４は、そこから延びている摩擦部材１６６２を含んでいる。結合部材１６６４は、結合部材１６６４の回転を阻止するために針１５１７と係合可能である針連通面１６７２を有している。摩擦部材１６６２は、後退位置と伸長位置との間を針１５１７に対して摺動可能に係合する構造とされていて、上記したものと同様に、摩擦部材１６６２が針１５１７と係合して針１５１７に対して抵抗力を形成するようになされている。
【０１１３】
結合部材１６６４は、開口部プレート１６６５，摩擦部材１６６２、端部検知部材１６７１及び針連通面１６７２を含んでいる。端部検知部材１６７１は、上記したように、針連通面１６７２の回転を容易化する。
【０１１４】
作動時には、本発明の原理による上記したものと類似した医療用針シールド装置は、針ハブ１５３２に対して使用するために設けられる。医師は、シールド１６００が後退位置（図５８）にあり且つ結合部材が非結合位置又は摺動位置にあるように、ハブ１５３２を操作する。
【０１１５】
針ハブ１５３２は、シールド１６００に対して解除可能に取り付けられている。図５９を参照すると、針１５１７は基端方向に後退せしめられていて、シールド１６００が伸長位置へと伸長せしめられ且つ結合部材１６６４が結合位置に配置されている。針ハブ１５３２はシールド１６００から解除され、外側ハウジング１６２５は伸長位置においてシールド１６００を包囲している。これによって、針１５１７がシールド１６００内に維持されて針１５１７の末端に対する危険な曝露が避けられる。
【０１１６】
プローブガイド１６３４は、シールド１６００に対して一体化された漏斗形状を有しており且つ骨バイオプシー処置によって汚染されるかも知れない針１５１７の周囲に配置されている。プローブガイド１６３４のこの漏斗形状によってプローブロッド１５３５に対する取り付けが容易になる。従って、シールド１６００及びプローブガイド１６３４は、医師に対する危険な曝露を防止する。プローブガイド１５３５は、針１５１７の末端内に挿入され、その中を通過せしめられて針ハブ１５３２から試料（図示せず）を押し出す。
【０１１７】
図６１乃至６５に示されたもう一つ別の代替的な実施形態においては、医療用針シールド装置は、針汗の針１７１６の末端を包囲するために後退位置（図６１）から伸長位置（図６５）まで伸長可能である上記したものと類似のシールド１７００を含んでいる。針１７１６は、ＰＩＣＣ導入器用途の際に針アセンブリに対して使用するために針アセンブリのシース１７１７に対して摺動可能に且つ同心状に設けられている。シース１７１７は、分割可能であっても良いし又は分割可能でなくても良い。針１７１６は、尖った末端を有する中空穴を有するカニューレである。シース１７１７は、ポリマー材料によって作られるのが望ましい。
【０１１８】
柄１７１８は針１７１６に対して結合されている。柄１７１８は、針１７１６に対して連通しているフラッシュチャンバ１７３６を有していても良い。ルアー嵌合部１７３７がフラッシュチャンバ１７３６と連通していて、ルアー式のスリップ又はルアー式の係止取り付け機構によって種々の医療装置に対する結合を容易化している。
【０１１９】
図２８乃至３２に関して説明したものと類似している結合部材１７６４がシールド１７００内に設けられている。シールド１７００は、結合部材１７６４を包囲するハウジング１７１２を含んでいる。
【０１２０】
針ハブ１７３２が針１７１７に対して取り付けられている。針ハブ１７３２は、結合部材１７６４の保持器１７１４に対する解除可能な係合によってシールド１７００に対して解除可能に取り付けられている。針ハブ１７３２は、結合部材１７６４を受け入れ且つ該結合部材と係合するためのハブ穴１７３２を備えている。この構造は、医療用針の使用の際に、シールド１７００に対する針ハブ１７３２及びシース１７１７の取り外し及び使用を容易にする。
【０１２１】
針ハブ１７３２のフランジは、以下に説明するように、外側把持部材１７２５の制御面によって同心状に支持されている。制御面は、解除可能な支持のためにフランジと係合している。保持器１７１４が針ハブ１７３２のハブ穴１７２４内に受け入れられるように延びている。結合部材１７６４の非結合又は摺動状態に関連して、保持器１７１４がシールド１７００に解除可能に取り付けるためにハブ穴１７２４内に配置されている。針１７１６が後退せしめられ且つシールド１７００が伸長せしめられると、保持器１７１４は、反時計方向に回転し且つハブ穴１７２４から外れて針ハブ１７３２をハウジング１７１２から解放する。
【０１２２】
外側把持部材１７２５は、シールド１７００の回転及び包囲のために設けられている。外側把持部材１７２５は、柄１７１８に対して取り付けられており且つシールド１７００の伸長状態においてシールド１７００及び針１７１６に対して自由に回転する。外側ハウジング１７２５の相対的な回転は、上記したものと同様に、外側ハウジング１７２５に形成された軸受け開口部及び軸における支持によって容易化されている。結合状態においては、軸受け構造は、シールド１７００及び針１７１６に対する外側ハウジング１７２５の回転を支持している。
【０１２３】
図６５を参照すると、針１７１６は、基端方向に後退せしめられてシールド１７００が伸長位置へと伸長せしめられ且つ結合部材１７６４が結合位置に配置されている。針ハブ１７３２はシールド１７００から解放されており、シールド１７００は伸長位置において針１７１６の末端を包囲している。このことにより、針１７１６がシールド１７００内に維持されて針１７１６の末端に対する危険な曝露が避けられる。
【０１２４】
外側回転ハウジングは、種々の構造の多数の部分から構成されても良く又は特別な用途に適するように一体に形成されても良い。
【０１２５】
上記した種々のシールドは、シールドを針に沿って所望の挿入深さに位置決めすることによって所望の挿入深さを測定するために使用しても良い。上記した種々のシールドは、挿入中に把持することによって針を安定化するために使用しても良いことも考えられる。
【０１２６】
本発明は、その精神又は本質的な特徴から逸脱することなく他の特別な形態で実施化しても良い。従って、以上の実施形態は、全ての点において例示のためのものであり且つ限定的なものではないと考えられるべきであり、本発明の範囲は、上記の説明ではなく特許請求の範囲によって示されており、従って、特許請求の範囲の等価物の意味及び範囲内に含まれる全ての変更が保護されることを意図されている。
【図面の簡単な説明】
【０１２７】
【図１】図１は、本発明の原理による医療用針シールド装置の一つの特別な実施形態の斜視図である。
【図２】図２は、ハウジング部分が分離された状態の図１に示された医療用針シールド装置の非結合状態のシールドの破断斜視図である。
【図３】図３は、図２に示された医療用針シールド装置の破断斜視図である。
【図４】図４は、ハウジング部分が分離された状態の図１に示された医療用針シールド装置の非結合状態のシールドの破断斜視図である。
【図５】図５は、係止状態の図４に示されたシールドの破断斜視図である。
【図６】図６は、図１に示された医療用針シールド装置の結合部材の拡大斜視図である。
【図７】図７は、図５に示されたシールドのハウジング部分の拡大斜視図である。
【図８】図８は、図５に示されたシールドの代替的な破断斜視図である。
【図９】図９は、図６に示された結合部材の代替的な実施形態の拡大斜視図である。
【図１０】図１０は、図６に示された結合部材のもう一つ別の代替的な実施形態の拡大斜視図である。
【図１１】図１１は、図６に示された結合部材のもう一つ別の代替的な実施形態の拡大斜視図である。
【図１２】図１２は、摩擦部材の代替的な実施形態を示している図５に示された破断斜視図である。
【図１３】図１３は、摩擦部材のもう一つ別の実施形態を示している図１２に示されているシールドの破断斜視図である。
【図１４】図１４は、付加的なハブ支持部材を備えた図１に示されている医療用針シールド装置の代替的な実施形態の破断斜視図である。
【図１５】図１５は、シールドの代替的な実施形態を示している図１に示された医療用針シールド装置の破断斜視図である。
【図１６】図１６は、外側回転可能ハウジングを備えた図１に示された医療用針シールド装置の破断斜視図である。
【図１７】図１７は、ハウジングが除去された状態の図１６に示された医療用針シールド装置の拡大破断斜視図である。
【図１８】図１８は、図１７に示されたハウジング部分の斜視図である。
【図１９】図１９は、図１６に示された医療用針シールド装置の軸の拡大斜視図である。
【図２０】図２０は、部品が分離された状態の図１６に示された医療用針シールド装置の代替的な実施形態の破断斜視図である。
【図２１】図２１は、部品が分離された状態の図１６に示された医療用針シールド装置のもう一つ別の代替的な実施形態の破断斜視図である。
【図２２】図２２は、図２１に示されたハウジング部分の拡大斜視図である。
【図２３】図２３は、ハウジング部分が除去された状態の図１６に示された医療用針シールド装置の代替的な実施形態の拡大斜視図である。
【図２４】図２４は、図２３に示された軸の拡大斜視図である。
【図２５】図２５は、図２３に示されたハウジング部分の拡大斜視図である。
【図２６】図２６は、作動前の状態の図１６に示された医療用針シールド装置の斜視図である。
【図２７】図２７は、作動状態の図１６に示された医療用針シールド装置の斜視図である。
【図２８】図２８は、ハウジングが除去された状態の図１６に示された医療用針シールド装置のもう一つ別の実施形態の破断斜視図である。
【図２９】図２９は、図２８に示された医療用針シールド装置のハウジングの拡大斜視図である。
【図３０】図３０は、図２９に示されたハウジングの代替的な斜視図である。
【図３１】図３１は、図２８に示された外側ハウジングの拡大斜視図である。
【図３２】図３２は、図２８に示された医療用針シールド装置によって採用されている結合部材の拡大斜視図である。
【図３３】図３３は、シースを備えた図１６に示された医療用針シールド装置の斜視図である。
【図３４】図３４は、本発明による医療用針シールド装置の代替的な実施形態の斜視図である。
【図３５】図３５は、図３４に示された医療用針シールド装置の代替的な実施形態の拡大斜視図である。
【図３６】図３６は、図３４に示された医療用針シールド装置の代替的な実施形態の拡大破断斜視図である。
【図３７】図３７は、安全シールド保持部材とハブ保持部材との間の係合状態を示している図３４に示された医療用針シールド装置の代替的な実施形態の拡大斜視図である。
【図３８】図３８は、安全シールド保持部材とハブ保持部材との間の部分的な分離状態を示している図３４に示された医療用針シールド装置の代替的な実施形態の拡大斜視図である。
【図３９】図３９は、安全シールド保持部材とハブ保持部材との間の部分的な分離状態を示している図３４に示された医療用針シールド装置の代替的な実施形態の拡大斜視図である。
【図４０】図４０は、安全シールド保持部材とハブ保持部材との間の分離状態を示している図３４に示された医療用針シールド装置の代替的な実施形態の拡大斜視図である。
【図４１】図４１は、伸長された針シールドを示している図３４に示された医療用針シールド装置の代替的な実施形態の斜視図である。
【図４２】図４２は、伸長された針シールドを示している図３４に示された実施形態に類似の医療用針シールド装置の代替的な実施形態の斜視図である。
【図４３】図４３は、本発明による医療用針シールド装置の代替的な実施形態の斜視図である。
【図４４】図４４は、図４３に示された医療用針シールド装置の代替的な実施形態の拡大破断斜視図である。
【図４５】図４５は、本発明による医療用針シールド装置の代替的な実施形態の斜視図である。
【図４６】図４６は、シース保持部材を備えているシースを示している図３４に示された実施形態に似た医療用針シールド装置の代替的な実施形態の拡大斜視図である。
【図４７】図４７は、シース保持部材を示している図３４に示されている医療用針シールド装置の代替的な実施形態の斜視図である。
【図４８】図４８は、シース保持部材から外されたシースを示している図４６に示された医療用針シールド装置の代替的な実施形態の拡大斜視図である。
【図４９】図４９は、本発明の代替的な実施形態による拡大器部分を備えた医療用針シールド装置のハブの拡大斜視図である。
【図５０】図５０は、図４９に示された医療用針シールド装置の代替的な実施形態によるハブの拡大破断斜視図である。
【図５１】図５１は、図４９に示された医療用針シールド装置の代替的な実施形態によるハブの拡大破断斜視図である。
【図５２】図５２は、図４０に示された医療用針シールド装置のもう一つ別の実施形態の斜視図である。
【図５３】図５３は、部品が分離された状態の図５２に示された医療用針シールド装置の斜視図である。
【図５４】図５４は、断面状態の図５２に示された医療用針シールド装置の破断斜視図である。
【図５５】図５５は、図５２に示された医療用針シールド装置のもう一つ別の実施形態の斜視図である。
【図５６】図５６は、図５５に示された医療用針シールド装置の部分断面斜視図である。
【図５７】図５７は、部品が分離された状態の図５５に示された医療用針シールド装置の斜視図である。
【図５８】図５８は、図１に示された医療用針シールド装置のもう一つ別の実施形態の斜視図である。
【図５９】図５９は、部品が分離された状態の図５８に示された医療用針シールド装置の斜視図である。
【図６０】図６０は、部分的に断面で示された図５９に示されたハウジングの図である。
【図６１】図６１は、図４６に示された医療用針シールド装置のもう一つ別の実施形態の斜視図である。
【図６２】図６２は、図６１に示された医療用針シールド装置の断面斜視図である。
【図６３】図６３は、部品が分離された状態の図６１に示された医療用針シールド装置の斜視図である。
【図６４】図６４は、図６１に示された医療用針シールド装置の破断斜視図である。
【図６５】図６５は、部品が分離された状態の図６１に示された医療用針シールド装置の斜視図である。
【図１】
0004473864.tif 000002
【図２】
0004473864.tif 000003
【図３】
0004473864.tif 000004
【図４】
0004473864.tif 000005
【図５】
0004473864.tif 000006
【図６】
0004473864.tif 000007
【図７】
0004473864.tif 000008
【図８】
0004473864.tif 000009
【図９】
0004473864.tif 000010
【図１０】
0004473864.tif 000011
【図１１】
0004473864.tif 000012
【図１２】
0004473864.tif 000013
【図１３】
0004473864.tif 000014
【図１４】
0004473864.tif 000015
【図１５】
0004473864.tif 000016
【図１６】
0004473864.tif 000017
【図１７】
0004473864.tif 000018
【図１８】
0004473864.tif 000019
【図１９】
0004473864.tif 000020
【図２０】
0004473864.tif 000021
【図２１】
0004473864.tif 000022
【図２２】
0004473864.tif 000023
【図２３】
0004473864.tif 000024
【図２４】
0004473864.tif 000025
【図２５】
0004473864.tif 000026
【図２６】
0004473864.tif 000027
【図２７】
0004473864.tif 000028
【図２８】
0004473864.tif 000029
【図２９】
0004473864.tif 000030
【図３０】
0004473864.tif 000031
【図３１】
0004473864.tif 000032
【図３２】
0004473864.tif 000033
【図３３】
0004473864.tif 000034
【図３４】
0004473864.tif 000035
【図３５】
0004473864.tif 000036
【図３６】
0004473864.tif 000037
【図３７】
0004473864.tif 000038
【図３８】
0004473864.tif 000039
【図３９】
0004473864.tif 000040
【図４０】
0004473864.tif 000041
【図４１】
0004473864.tif 000042
【図４２】
0004473864.tif 000043
【図４３】
0004473864.tif 000044
【図４４】
0004473864.tif 000045
【図４５】
0004473864.tif 000046
【図４６】
0004473864.tif 000047
【図４７】
0004473864.tif 000048
【図４８】
0004473864.tif 000049
【図４９】
0004473864.tif 000050
【図５０】
0004473864.tif 000051
【図５１】
0004473864.tif 000052
【図５２】
0004473864.tif 000053
【図５３】
0004473864.tif 000054
【図５４】
0004473864.tif 000055
【図５５】
0004473864.tif 000056
【図５６】
0004473864.tif 000057
【図５７】
0004473864.tif 000058
【図５８】
0004473864.tif 000059
【図５９】
0004473864.tif 000060
【図６０】
0004473864.tif 000061
【図６１】
0004473864.tif 000062
【図６２】
0004473864.tif 000063
【図６３】
0004473864.tif 000064
【図６４】
0004473864.tif 000065
【図６５】
0004473864.tif 000066